(57)【要約】  【課題】  単一の冷却器で冷却した冷気を送風機で冷凍室と冷蔵室へ循環するよう構成したものにおいて、冷蔵室へ未だ十分冷却されていない食品を多量に収納した場合や、冷蔵室へ温度の高い食品を収納した場合や、冷蔵室の前面扉が開かれた時間が長い場合等においては、冷蔵室の温度上昇は勿論のこと、冷凍室の温度上昇も大きくなり、冷凍食品の貯蔵には不向きな状況が生じることとなる。本発明は、このような問題を解決する。  【解決手段】  単一の冷却器によって冷却された冷気が送風機によって冷蔵室と冷凍室に循環され、冷蔵室の温度を冷蔵室へ供給される冷気通路を開閉作動するダンパ装置によって制御される冷凍冷蔵庫において、冷蔵室冷却モードにおいて、ダンパ装置を時分割制御による開閉作動状態とすることにより、冷凍室の冷却促進を行う。【選択図】  図７
2006017371.tif 000002
【特許請求の範囲】
【請求項１】
圧縮機で圧縮された冷媒が蒸発する単一の冷却器を備え、この冷却器によって冷却され
た冷気が送風機によって冷蔵室と冷凍室に循環される冷気通路を備え、前記冷蔵室の温度
が前記冷気通路を開閉するダンパ装置の開閉動作によって制御される冷凍冷蔵庫において
、前記冷却器で冷却された冷気を前記冷蔵室へ供給する冷蔵室冷却モードにおいて、前記
ダンパ装置の動作状態を時分割制御による開閉作動状態とすることを特徴とする冷凍冷蔵
庫。
【請求項２】
圧縮機で圧縮された冷媒が蒸発する単一の冷却器を備え、この冷却器によって冷却され
た冷気が送風機によって冷蔵室と冷凍室に循環される冷気通路を備え、前記冷蔵室の温度
が前記冷気通路を開閉するダンパ装置の開閉動作によって制御される冷凍冷蔵庫において
、前記ダンパ装置は、通常冷却運転モードでは、前記冷蔵室の温度が設定上限温度に上昇
したとき前記冷蔵室への冷気通路を開き前記冷蔵室の温度が設定下限温度に低下したとき
前記冷気通路を閉じる開閉動作を行い、前記冷蔵室の温度が上昇した異常温度状態では、
前記ダンパ装置の動作状態を時分割制御による開閉作動状態とすることを特徴とする冷凍
冷蔵庫。
【発明の詳細な説明】
【技術分野】
【０００１】
本発明は、冷蔵室の温度によって冷気供給通路を開閉して冷蔵室の温度制御を行う冷凍
冷蔵庫に関する。
【背景技術】
【０００２】
冷蔵室の温度によって冷気供給通路を開閉して冷蔵室の温度制御を行う冷凍冷蔵庫があ
る。これは、冷蔵室が上部に位置するように冷凍室と冷蔵室が区画壁にて区画され、前記
冷凍室の後部に設置した単一の冷却器で冷却した冷気が送風機で前記冷凍室と冷蔵室へ循
環するよう構成され、前記区画壁内には、前部と後部にそれぞれ別個の発泡スチロールな
どの成形断熱材が収納され、後部の成形断熱材には冷気を冷蔵室へ導く吐出通路が形成さ
れ、この吐出通路内にはダンパ装置が収納されている（例えば、特許文献１参照）。
【特許文献１】特開平１０−１６０３２２号公報（第２頁〜第３頁、図１〜図４）
【発明の開示】
【発明が解決しようとする課題】
【０００３】
このように、単一の冷却器で冷却した冷気を送風機で冷凍室と冷蔵室へ循環するよう構
成したものにおいて、ダンパ装置が閉じたときには冷気の全量が冷凍室へ流れるため、冷
凍室の冷却は良好であるが、ダンパ装置が開いたときには冷蔵室を循環する冷気と冷凍室
を循環する冷気とが合流し、それが冷凍室と冷蔵室へ分流して流れるため、冷凍室の冷却
効果が低下する。
【０００４】
また、冷蔵室へ未だ十分冷却されていない食品を多量に収納した場合や、冷蔵室へ温度
の高い食品を収納した場合や、冷蔵室の前面扉が開かれた時間が長い場合等においては、
冷蔵室の温度上昇は勿論のこと、冷凍室の温度上昇も大きくなり好ましくない。
【０００５】
また、最近の冷凍冷蔵庫では、冷凍冷蔵庫の周囲温度、運転率、その他の要素を基にし
て経済的な運転を行う制御が採られている。例えば、冷凍冷蔵庫の周囲温度が比較的低い
場合には、その周囲温度の影響により冷凍冷蔵庫内の貯蔵室の温度上昇は小さいので、冷
凍サイクルを構成する電動圧縮機の回転を低速にしたセーブ運転モードで運転するように
している。このような運転モードにおいて、上記のような冷蔵室へ食品を多量に収納した
場合等の状況となると、冷蔵室の温度上昇は更に大きくなると共に、冷凍室の温度上昇も
更に大きくなり、ますます冷凍食品の貯蔵には不向きな状況が生じることとなる。
【０００６】
本発明は、上記の点に鑑みて、冷却器で冷却された冷気を冷蔵室へ供給する冷蔵室冷却
モードにおいて、冷凍室の冷却を向上させるものである。また、冷蔵室へ食品を多量に収
納した場合等において冷蔵室の温度が所定値を超えて上昇した場合にも、冷凍室の温度上
昇をできるだけ抑制できるようにして、冷凍食品の貯蔵に適した冷凍冷蔵庫を提供するも
のである。
【課題を解決するための手段】
【０００７】
第１の発明は、圧縮機で圧縮された冷媒が蒸発する単一の冷却器を備え、この冷却器に
よって冷却された冷気が送風機によって冷蔵室と冷凍室に循環される冷気通路を備え、冷
蔵室の温度は冷気通路を開閉するダンパ装置の開閉動作によって制御される冷凍冷蔵庫に
おいて、冷却器で冷却された冷気を冷蔵室へ供給する冷蔵室冷却モードにおいて、ダンパ
装置の動作状態を時分割制御による開閉作動状態とすることを特徴とする。
【０００８】
第２の発明は、圧縮機で圧縮された冷媒が蒸発する単一の冷却器を備え、この冷却器に
よって冷却された冷気が送風機によって冷蔵室と冷凍室に循環される冷気通路を備え、冷
蔵室の温度は冷気通路を開閉するダンパ装置の開閉動作によって制御される冷凍冷蔵庫に
おいて、ダンパ装置は、通常冷却運転モードでは、前記冷蔵室の温度が設定上限温度に上
昇したとき前記冷蔵室への冷気通路を開き前記冷蔵室の温度が設定下限温度に低下したと
き前記冷気通路を閉じる開閉動作を行い、冷蔵室の温度が上昇した異常温度状態では、ダ
ンパ装置の動作状態を時分割制御による開閉作動状態とすることを特徴とする。
【発明の効果】
【０００９】
第１の発明は、冷気を冷蔵室へ供給する冷蔵室冷却モードにおいて、ダンパ装置の動作
状態が時分割制御による開閉作動状態となることによって、ダンパ装置が開状態のままで
ある場合に比して、通常の冷蔵室冷却モードにおいて冷凍室への循環冷気量を増加できる
ため、冷蔵室の冷却を維持しつつ冷凍室の冷却を向上させるものである。そして、冷蔵室
温が上昇した異常温度状態においても、冷凍室への循環冷気量を増加できるため、冷蔵室
温が上昇したことに伴う冷凍室の冷却不良を改善できるものである。このため、冷気供給
通路の構成もし易くなる。
【００１０】
第２の発明は、単一の冷却器によって冷却された冷気が電動送風機によって冷蔵室と冷
凍室に循環され、冷蔵室の温度が冷蔵室へ供給される冷気通路を開閉するダンパ装置によ
って制御される冷凍冷蔵庫において、通常の冷蔵室冷却モードにおいては、冷蔵室の温度
が設定下限温度に低下するまではダンパ装置は開状態のままであって、冷蔵室へ十分な冷
気量を循環して冷蔵室を所定温度に制御できる。そして、冷蔵室の温度が上昇した異常温
度状態では、冷凍室への循環冷気量を増加できるため、冷蔵室温が上昇したことに伴う冷
凍室の冷却不良を改善できるものである。
【発明を実施するための最良の形態】
【００１１】
本発明の冷凍冷蔵庫は、圧縮機で圧縮された冷媒が蒸発する単一の冷却器を備え、この
冷却器によって冷却された冷気が送風機によって冷蔵室と冷凍室に循環される冷気通路を
備え、冷蔵室の温度は冷気通路を開閉するダンパ装置の開閉動作によって制御される冷凍
冷蔵庫において、通常の冷蔵室冷却モード及び又は冷蔵室温が上昇した異常温度状態にお
いて、ダンパ装置の動作状態を時分割制御による開閉作動状態とするものであり、以下に
本発明の実施形態を記載する。
【実施例１】
【００１２】
次に、本発明の実施の形態について説明する。図１は本発明冷蔵庫の縦断側面図、図２
は本発明の冷蔵庫本体を正面から見た説明図、図３は本発明ダンパ装置の斜視図、図４は
本発明ダンパ装置を冷蔵庫に取り付けた部分の縦断側面図、図５は本発明に係る制御部の
構成図、図６は本発明の基本的な制御動作におけるダンパ装置と電動圧縮機の動作及び冷
蔵室と冷凍室の温度変化を示す説明図、図７は本発明による時分割制御動作におけるダン
パ装置と電動圧縮機の動作及び冷蔵室と冷凍室の温度変化を示す説明図である。以下、具
体的な実施例について説明する。
【００１３】
実施例１に係る冷蔵庫１は、全面開口の本体２内を区画して複数の貯蔵室を形成し、こ
れら各貯蔵室の前面は扉で開閉できる構成である。冷蔵庫本体２は外箱（外壁板）２Ａと
内箱（内壁板）２Ｂとの間に発泡断熱材２Ｃを充填した断熱構造である。冷蔵庫本体２内
には、上から冷蔵室３、冷凍室５、野菜室４が区画されて設けられている。
【００１４】
冷蔵室３の前面開口は、冷蔵庫本体２の一側部にヒンジ装置にて横方向に回動する回動
式の冷蔵室扉１０にて開閉される。野菜室４の前面開口は、野菜室４内に設けた左右のレ
ールとローラによる支持装置１８によって前後方向へ引き出し可能に支持した野菜容器１
５と共に前方へ引き出される引き出し式扉１１にて閉塞されている。冷凍室５は扉１２に
て閉塞されているが、野菜室４と同様に、冷凍室内に設けた左右のレールに対して前後方
向へ引き出し可能に支持した容器１６を扉１２と共に前方へ引き出される引き出し式とす
る構成である。
【００１５】
２０は冷凍サイクルの冷媒を圧縮する電動圧縮機、２１は冷凍サイクルの冷媒の凝縮器
である。２２は凝縮器２１の熱によって後述の蒸発器（冷却器）２４の除霜水を蒸発させ
るための蒸発皿であり、凝縮器２１上に載置して冷蔵庫本体２の前面下部から引き出し自
在である。圧縮機２０、凝縮器２１、蒸発皿２２は、冷蔵庫本体２の下部に設けた機械室
２３に設置されている。２４は冷凍室５の背面部に形成した冷却器室２６に設置した冷媒
の蒸発器（冷却器）である。２５は蒸発器（冷却器）２４で冷却した冷気を冷凍室５、冷
蔵室３、野菜室４へ循環する電動送風機である。２７は蒸発器（冷却器）２４の除霜用ガ
ラス管ヒータである。蒸発器（冷却器）２４の除霜水は、排水管を通って蒸発皿２２へ導
かれてそこで蒸発する。
【００１６】
上部に位置する冷蔵室３とその下部に位置する冷凍室５とは断熱仕切り壁２８にて区画
されており、断熱仕切り壁２８は、インジェクション成形の合成樹脂製上板２９とインジ
ェクション成形の合成樹脂製下板３０との間に、予め所定形状に成形された発泡スチロー
ル等の断熱材３１が挟持された断熱構造をなしている。このような断熱仕切り壁２８は、
冷蔵庫本体２の左右両側に内箱（内壁板）２Ｂに形成した前後方向の溝２Ｄに冷蔵庫本体
２の前面開口部から挿入されて取り付けられる構成である。断熱仕切り壁２８が取り付け
られた状態で、断熱仕切り壁２８の前面と溝２Ｄの前面を覆うように仕切り前板２８Ａが
外箱（外壁板）２Ａの左右両側に渡って取り付けられている。
【００１７】
冷蔵室３の背面側には上下方向の冷気供給通路３５が形成されている。３２は冷蔵室３
の背壁であり、合成樹脂製背面板３３とその裏側に取り付けた発泡スチロール等の断熱材
３４との組み合わせ構成である。冷蔵室３の背壁３２は、その断熱材３４の左右両側が冷
蔵庫本体２の背壁の内箱（内壁板）２Ｂに当接する状態に冷蔵庫本体２の背壁に並列に設
置され、この状態で断熱材３４に窪ませた上下方向に延びる冷気ダクト部３４Ａが冷気供
給通路３５を形成する。
【００１８】
断熱仕切り壁２８の後部には、断熱仕切り壁２８を上下に貫通した冷気供給通路３６が
形成され、冷気供給通路３６は、冷蔵室３へ冷気を供給する通路であり、その下部が送風
機２５から供給される冷気の導入部であり、上部が冷気供給通路３５に連通した配置であ
る。冷気供給通路３６にはダンパ装置５０が取り付けられており、ダンパ装置５０は、冷
蔵室３の温度を感知するセンサ５０Ａの温度感知に基づきマイクロコンピュータ方式の制
御回路部８０によって冷気供給通路３６を開閉する動作をする。このダンパ装置５０の開
閉動作によって、冷蔵室３は所定の温度に制御される。
【００１９】
蒸発器（冷却器）２４で冷却した冷気は送風機２５によって矢印のように循環する。即
ち、送風機２５から送出される冷気は冷凍室５の背壁上部の冷気吹き出し口３７から冷凍
室５へ供給され、冷凍室５の背壁下部の冷気吸込み口３８から冷却器室２６に帰還して再
び蒸発器（冷却器）２４にて冷却される循環をする。また、送風機２５から送出される冷
気は、冷気供給通路３６を通って冷気供給通路３５へ供給され、冷気供給通路３５の左右
両側に形成した冷気通路３５Ａに分配されて冷蔵室３の背壁３２に形成した冷気吹き出し
口３９から冷蔵室３へ供給される。
【００２０】
冷蔵室３へ供給された冷気は、冷蔵室３の背壁３２の一側下部に形成した冷気吸込み口
４０から吸い込まれて、冷凍室５の後方に形成した冷気通路４１を下方に流れて野菜室４
の後部に開口した冷気吹き出し口４２から野菜室４に吹き出す。野菜室４に吹き出した冷
気は、野菜容器１５内の野菜等を大半の冷気によって間接的に冷却し侵入する一部の冷気
によって直接冷却して、野菜室４の上部又は野菜室４の後部に開口した冷気吸込み口４３
から冷却器室２６に帰還して再び蒸発器（冷却器）２４にて冷却される循環をする。
【００２１】
ダンパ装置５０は、電動機構５１と、この電動機構５１によって回動作動される作動板
５２と、作動板５２によって開閉される開口部５４を形成したダンパケース５３とから構
成されている。この作動板はダンパとも称される。電動機構５１は、直流式電動機５５と
、この電動機５５の回転軸の回転を減速して出力軸に伝達する複数の減速歯車機構とがモ
ータケース５９に収納された構成である。円筒状のモータケース５９の内径は前記直流式
電動機５５の外径と略同じであるため、モータケース５９内に直流式電動機５５が嵌合状
態に挿入され、この直流式電動機５５の回転軸に減速歯車機構が取り付けられ、減速歯車
機構の出力軸がモータケース５９の端板とダンパケース５３を貫通してモータケース５９
外に突出した形態をなす。この出力軸の先端部は偏平形状をなしており、この出力軸の偏
平形状部分に作動板５２の一端部に形成した扁平形状の嵌合軸孔が嵌まり合う構成である
。これによって、直流式電動機５５の正回転及び逆回転によって作動板５２が減速して正
方向及び逆方向へ回動する。
【００２２】
モータケース５９には、直流式電動機５５へ電力を供給するための合成樹脂製の端子部
材６７が取り付けられている。この端子部材６７の給電端子６８へ冷蔵庫本体２に設けた
制御回路部８０の制御によって、作動板５２を正方向回動及び逆方向回動させるために矩
形パルスの電力が供給される。電動機構５１は、モータケース５９の一部分に形成した４
ヶ所の取り付けフランジ６９をネジとナットの組み合わせからなる取り付け部７０によっ
て、ダンパケース５３の側板５３Ｂに取り付けられている。
【００２３】
断熱仕切り壁２８の断熱材３１中の冷気供給通路３６の中間部には、上方に広がった段
部７４を形成している。断熱仕切り壁２８の上板２９は、冷気供給通路３６の上端部を取
り囲むように上方に立ち上がった壁７５を一体形成している。ダンパ装置５０は、段部７
４の上面に配置した弾性シール材７６を圧縮する状態にダンパケース５３が冷気供給通路
３６に嵌め込まれ、ダンパケース５３の側板５３Ｂの取り付け部５３Ｃをネジ等の固定手
段によって立ち上がり壁７５へ固定される。
【００２４】
ダンパケース５３は、断熱仕切り壁２８中の冷気供給通路３６の一部を構成する通路壁
５３Ａを備え、通路壁５３Ａには内方へ突出した四辺形状のフランジ７１が形成され、開
口部５４はこのフランジ７１で囲まれて形成されている。フランジ７１の上面には、この
四辺形状のフランジ７１に添った四辺形状の弾性部材７２が、接着にて取り付けられてい
る。
【００２５】
また、作動板５２の下側面には、この四辺形状の弾性部材７２の上面全周で当接して開
口部５４を塞ぐ大きさの弾性部材７３が接着にて取り付けられている。両弾性部材７２と
７３は、後述のように、作動板５２が閉じたとき相互に押し圧し合って開口部５４を確実
に塞ぐ配置関係である。
【００２６】
ダンパ装置５０は、冷蔵室３の温度を感知する温度感知センサ５０Ａの温度感知に基づ
き制御回路部８０によって前記直流式電動機５５へ電力が供給されて電動機構５０が作動
し、開口部５４を作動板５２が開閉する。即ち、温度感知センサ５０Ａが感知する冷蔵室
３の温度が、制御回路部８０に定めた冷蔵室３の設定下限温度Ｒ１まで低下した状態で作
動板５２が閉じ、設定上限温度Ｒ２を超えた状態では作動板５２が開いた状態となるよう
に制御される。
【００２７】
具体的には、電動圧縮機２０と電動送風機２５が運転され、作動板５２が開口部５４を
開いているとき、冷蔵室３へ冷気が循環される。この冷気循環によって、冷蔵室３の温度
が所定の設定下限温度Ｒ１まで冷却されると、制御回路部８０によって前記直流式電動機
５５へ正回転方向のパルス信号が供給されて、前記直流式電動機５５は正回転して作動板
５２が開口部５４を閉じる方向へ回動する。この正回転によって作動板５３が開口部５４
を閉じたとき、両弾性部材７２と７３は、相互に押し圧し合って開口部５４の全周囲で冷
気通路が閉じる。このように作動板５２が開口部５４を閉じることによって、電動機５５
の負荷が急激に大きくなるため、前記直流式電動機５５の負荷電流は急激に大きくなる。
この負荷電流の変化又は大きさを制御回路部８０によって検出して、前記直流式電動機５
５の回転を停止する。
【００２８】
作動板５３が開口部５４を閉じたことにより、冷蔵室３の温度が徐々に上昇する。そし
て、所定の設定上限温度Ｒ２まで上昇すると、制御回路部８０によって前記直流式電動機
５５へ逆回転方向のパルス信号が供給されて、前記直流式電動機５５は逆回転して作動板
５２が開口部５４を開く方向へ回動する。この逆回転によって作動板５３が開口部５４を
所定位置まで開いたとき、作動板５２がダンパケース５３のストッパ部に衝突して停止す
る。この停止によって直流式電動機５５の負荷が急激に大きくなり、直流式電動機５５の
負荷電流は急激に大きくなる。この負荷電流の変化又は大きさを制御回路部８０によって
検出して、流式電動機５５の回転を停止する。
【００２９】
上記のように、直流式電動機５５は、パルス信号によるステップ動作によって作動板５
２を開閉作動させるため、ステッピングモータとも称する。また、直流式電動機５５の回
転の停止制御は、作動板５２の位置を光スイッチや機械的なスイッチ等で検出して制御す
る方法でもよい。また、作動板５２が閉じた位置又は開いた位置を検出するスイッチを設
け、この検出位置から直流式電動機５５へ供給するパルス信号の数によって作動板５２の
開閉を制御する方式でもよい。
【００３０】
先ず、冷凍冷蔵庫１の基本的な制御動作について説明する。冷凍冷蔵庫１が通常に使用
されている状態では、実質的に冷凍室５又は冷却器２４の温度を感知して設定上限温度Ｆ
２と設定下限温度Ｆ１によって圧縮機２０と送風機２５がＯＮ、ＯＦＦ運転される。即ち
、圧縮機２０と送風機２５は、冷凍室５又は冷却器２４の温度感知センサ５Ａの温度感知
に基づく制御回路部８０の動作によってＯＮ、ＯＦＦ運転される。このため、冷凍室５又
は冷却器２４が、制御回路部８０に定めた設定下限温度Ｆ１まで一旦冷却された状態では
、その温度を温度感知センサ５Ａが感知して制御回路部８０の動作によって圧縮機２０と
送風機２５がＯＦＦ（停止）状態である。この状態によって冷凍室５と冷却器２４の温度
が徐々に上昇し、その温度を温度感知センサ５Ａが感知し、制御回路部８０に定めた設定
上限温度Ｆ２に達したとき、制御回路部８０の動作によって、圧縮機２０と送風機２５が
ＯＮ（運転）されて冷却器２４が冷却される冷却運転状態となる。
【００３１】
この冷却運転によって、冷却器２４の温度低下に伴って冷凍室５の温度が低下し、設定
下限温度Ｆ１まで冷却されたとき、制御回路部８０の動作によって圧縮機２０と送風機２
５がＯＦＦ（停止）状態となる。このように、冷凍室５の温度制御用センサである温度感
知センサ５Ａの温度感知に基づく制御回路部８０の動作によって、圧縮機２０と送風機２
５の運転が制御されて冷凍室５の温度が所定の温度範囲に制御される。
【００３２】
一方、冷蔵室３は、上記のように、制御回路部８０に定めた冷蔵室３の設定下限温度Ｒ
１まで一旦冷却された状態では、ダンパ装置５０が冷蔵室３へ供給される冷気の通路３６
を閉じる。この状態によって、冷蔵室３の温度が上昇し、その温度を温度感知センサ５０
Ａが感知し、制御回路部８０に定めた設定上限温度Ｒ２に達したときには、制御回路部８
０の動作によって、ダンパ装置５０が冷気通路３６を開く条件が整う。この状態でダンパ
装置５０が冷気通路３６を開くように制御することができるが、冷凍室５又は冷却器２４
の温度が設定上限温度Ｆ２に上昇していない場合は、圧縮機２０と送風機２５がＯＦＦ（
運転停止）であるため冷却器２４が冷却運転状態ではなく、送風機２５による冷機循環が
行われないため、この状態でダンパ装置５０を開いても冷蔵室３へ冷気が循環しない。し
かも、この状態でダンパ装置５０が冷気通路３６を開くと、冷気通路３６を通して冷蔵室
３の温度が冷凍室５と冷却器２４に影響し、冷凍室５と冷却器２４の温度が上昇して好ま
しくない状況となる。
【００３３】
このような点に鑑み、冷蔵室３への適正な冷気循環を行うために、冷蔵室３の温度が設
定上限温度Ｒ２に達し、且つ、圧縮機２０と送風機２５がＯＮ（運転）状態のときに、ダ
ンパ装置５０が冷気通路３６を開いて、冷気を冷蔵室３へ循環するように設定するのが好
ましい。
【００３４】
このようにして、制御回路部８０の動作による圧縮機２０と送風機２５のＯＮ（運転）
とＯＦＦ（停止）動作によって、冷凍室５が設定下限温度Ｆ１と設定上限温度Ｆ２の範囲
で制御され、冷蔵室３はダンパ装置５０の開閉動作によって、設定下限温度Ｒ１と設定上
限温度Ｒ２の範囲に制御される。このような一連の動作における冷蔵室３の温度、冷凍室
５又は冷却器２４の温度、ダンパ装置５０の開閉状態、圧縮機２０と送風機２５のＯＮ・
ＯＦＦ状態は、図６に示している。
【００３５】
このように、冷蔵室３へ供給される冷気通路をダンパ装置５０によって開閉作動するこ
とによって、冷蔵室３の温度は所定温度範囲に制御されるが、ダンパ装置５０が冷気通路
３６を閉じた状態では、送風機２５によって循環される冷気の全量が冷凍室５へ供給され
るため、冷凍室５の冷却は十分行われる。しかし、ダンパ装置５０が冷気通路３６を開い
た状態では、送風機２５によって循環される冷気は、冷凍室５と冷蔵室３へ通じる冷気通
路の構成によって定まる分流比率によって分流される。このため、ダンパ装置５０が冷気
通路３６を開いた状態では、冷凍室５へ供給される冷気量は、ダンパ装置５０が閉じたと
きよりも少ない量となり、冷凍室５の冷却効果はダンパ装置５０が冷気通路３６を開いた
ときよりも低下する。
【００３６】
特に、冷凍食品の低温貯蔵効果を向上させるためには、冷凍室５の温度を十分低温に維
持することが望ましい。このため、上記のようにダンパ装置５０が冷気通路３６を開いた
状態での冷凍室５の冷却機能の低下は好ましくない。このような冷凍室５の冷却機能の低
下を改善するために、ダンパ装置５０が冷気通路３６を開いた状態において、冷凍室５と
冷蔵室３への冷気分流比が、冷凍室５へ供給される冷気量が多くなるような冷気通路構成
とする方法がある。この場合、冷凍室５をより低温に冷却するために、冷凍室５と冷蔵室
３へ供給される冷気の分流比を例えば、８：２のように、冷凍室５へ供給される冷気量を
極力多くすることが考えられるが、冷蔵室３へ供給される冷気の冷気通路は、周辺の構成
部分との関係によって屈曲した通路形状となるため風路抵抗が大きい。このため、上記の
ように冷凍室５へ供給される冷気量を極力多くしようとした場合には、この大きな風路抵
抗によって冷蔵室３への冷気循環量が極端に低下して、冷蔵室３が冷えない状況となる虞
がある。
【００３７】
このため、通常、このようことがないように、冷凍室５と冷蔵室３へ供給される冷気の
分流比を略５：５、６：４のように、比較的均衡した分流比になるよう冷気通路を構成し
て、冷凍室５と冷蔵室３への冷気循環が円滑に行われる方法が採られる。しかし、このま
までは、上記のようにダンパ装置５０が冷気通路３６を開いた状態での冷凍室５の冷却効
果が低下する虞があるため、本発明ではこれを改善するものである。
【００３８】
即ち、本発明では、冷凍室５と冷蔵室３への冷気循環が円滑に行われる冷気通路構成と
し、通常の冷却運転状態にあるとき、冷蔵室３へ冷気を供給する冷蔵室冷却モードにおい
て、冷凍室５の冷却促進ができるようにするために、ダンパ装置５０の動作状態を時分割
制御による開閉作動状態とするものである。これによって、この冷蔵室冷却モードにおい
て、ダンパ装置５０を開いたままにしていた従来方式の場合に比して、冷蔵室３への冷気
供給が間歇的になり、冷蔵室３への供給冷気量の総量は減少するが冷蔵室３の冷却は維持
されつつ、冷凍室５に循環される供給冷気量の総量が増加する。このため、冷凍室５の冷
却が改善され、冷凍室５の冷却状態が改善される。勿論、このダンパ装置５０が開いてい
るときには、冷蔵室３の冷却不良が生じないような量の冷気が冷蔵室３へ供給されるよう
に、ダンパ装置５０の間歇動作時間が設定される。
【００３９】
このように、本発明は、圧縮機２０で圧縮された冷媒が蒸発する単一の冷却器２４を備
え、この冷却器２４によって冷却された冷気が送風機２５によって冷蔵室３と冷凍室５に
循環され、前記圧縮機２０のＯＮ（運転）・ＯＦＦ（停止）によって冷凍室５の温度が制
御され、冷蔵室３へ供給される冷気通路３６をダンパ装置５０によって開閉して冷蔵室３
の温度が制御される冷凍冷蔵庫１において、冷蔵室３の冷却を維持しつつ冷凍室５をより
低温に冷却できるものとなる。
【００４０】
図７には、冷蔵室３の温度、冷凍室５又は冷却器２４の温度、ダンパ装置５０の開閉状
態、圧縮機２０と送風機２５のＯＮ・ＯＦＦ状態を示している。即ち、冷凍室５が設定下
限温度Ｆ１に低下するまで圧縮機２０と送風機２５がＯＮ（運転）され、設定下限温度Ｆ
１に低下したとき圧縮機２０と送風機２５がＯＦＦ（停止）する。そして、冷凍室５が設
定上限温度Ｆ２に上昇したとき、再び圧縮機２０と送風機２５がＯＮ（運転）されて冷却
される運転を行う。一方、冷蔵室３は、冷蔵室冷却モードにおいて、即ち、圧縮機２０と
送風機２５がＯＮ（運転）状態であって設定上限温度Ｒ２以上の場合に、ダンパ装置５０
が時分割制御状態となって冷気が間歇的に冷蔵室３へ供給され、設定下限温度Ｒ１に低下
したときダンパ装置５０が閉じる。そして、冷蔵室３が設定上限温度Ｒ２以上に上昇した
とき、再びダンパ装置５０が時分割制御状態となって冷気が間歇的に冷蔵室３へ供給され
るため、冷蔵室３は、設定下限温度Ｒ１と設定上限温度Ｒ２の範囲に制御されることとな
る。
【００４１】
また、冷凍冷蔵庫１の使用に際して、未だ十分冷却されていない食品を多量に冷蔵室３
へ収納した場合や、冷蔵室３へ温度の高い食品を収納した場合や、冷蔵室３の前面扉１０
を比較的長く開いたままにした場合等において、冷蔵室３の温度が異常上昇することがあ
る。この場合、その影響によって冷凍室５および冷却器２４の温度が予定の範囲を超えて
上昇する。この異常事態は、圧縮機２０と送風機２５のＯＮ状態とＯＦＦ状態のいずれに
おいても起こり得る。
【００４２】
本発明は、この異常事態が発生した場合にも効果がある。即ち、異常事態が発生した場
合には、冷蔵室３が設定上限温度Ｒ２以上となるため、冷凍室５又は冷却器２４の温度も
設定上限温度Ｆ２以上となる。このため、制御回路部８０によって圧縮機２０と送風機２
５がＯＮ（運転）されて冷却器２４が冷却される冷却運転状態になり、冷蔵室３へ冷気を
供給すべく冷蔵室冷却モードであるため、ダンパ装置５０の動作状態が時分割制御による
開閉作動状態となる。これによって、冷蔵室３の冷却は勿論のこと、冷凍室５の冷却促進
が行われる。
【００４３】
図７には、圧縮機２０と送風機２５のＯＮ状態において異常事態が発生したときの冷蔵
室３の温度、冷凍室５又は冷却器２４の温度、ダンパ装置５０の時分割制御による開閉状
態、圧縮機２０と送風機２５のＯＮ・ＯＦＦ状態を示している。即ち、圧縮機２０と送風
機２５のＯＮ（運転）によって、冷凍室５が設定下限温度Ｆ１まで冷却される。一方、冷
蔵室３は、設定下限温度Ｒ１に低下するまでダンパ装置５０の時分割制御による開閉動作
が行われ、設定下限温度Ｒ１と設定上限温度Ｒ２の制御となる。
【００４４】
本発明は、上記のように、ダンパ装置５０を開いて冷気を冷蔵室３へ循環する冷蔵室冷
却モードにおいて、ダンパ装置５０の動作状態を時分割制御による開閉作動状態とし、こ
のような時分割制御によって、送風機２５によって冷凍室５と冷蔵室３へ供給される冷気
量の総割合を３：１、４：１等のように、冷蔵室３へ分流される冷気量よりも冷凍室５へ
分流される冷気量を多くすることにより、冷蔵室３の冷却を維持しつつ冷凍室５の冷却不
良を抑制するものである。
【００４５】
その具体的な制御方法としては、例えば、作動板５２が冷気通路３６を１分間開き、２
分間閉じる制御方式、作動板５２が冷気通路３６を１分間開き、３分間閉じる制御方式、
などのように、間歇開閉動作をするようにする。これによって、ダンパ装置５０が冷気通
路３６を開いたままの状態に比して、ダンパ装置５０が開く時間が３分の１、４分の１等
となるため、冷蔵室３の冷気循環量は減少するが、冷凍室５への冷気循環量は増加するた
め、冷凍室５の温度上昇は抑制され、貯蔵した冷凍食品の温度上昇は抑制でき、冷凍食品
の良好な保存状態を維持できるものとなる。
【００４６】
上記のように、本発明では、圧縮機２０で圧縮された冷媒が蒸発する単一の冷却器２４
を備え、この冷却器２４によって冷却された冷気が送風機２５によって冷蔵室３と冷凍室
５に循環される冷気通路を備え、冷凍室５の温度は圧縮機２０と送風機２５のＯＮ（運転
）とＯＦＦ（停止）動作によって制御され、冷蔵室３の温度は冷気通路を開閉するダンパ
装置５０の開閉動作によって制御される冷凍冷蔵庫１において、冷却器２４で冷却された
冷気を冷蔵室３へ供給する冷蔵室冷却モードにおいて、ダンパ装置５０の動作状態を時分
割制御による開閉作動状態とする。
【００４７】
また、本発明では、通常の冷却運転状態、及び通常の冷却運転を脱して冷蔵室３の温度
が異常に上昇した異常事態のいずれにおいても、冷蔵室冷却モードにおいて、ダンパ装置
５０の動作状態を時分割制御による開閉作動状態とすることにより、冷蔵室３側への冷気
量に比して冷凍室５への冷気量を特別多くするような特殊な設計にする必要がないため、
冷気通路構成が簡単になる。また、冷凍冷蔵庫１の種類に応じて時分割制御によるダンパ
装置５０の開時間と閉時間を設定すれば、その冷凍冷蔵庫１の種類に応じた冷気供給が設
定できるため、冷気通路の構成に合わせた適正な冷気供給方式が確立できる。
【実施例２】
【００４８】
実施例２の方式は、上記のような冷凍冷蔵庫１の構成において、通常の冷却運転状態で
はダンパ装置５０の動作状態を時分割制御とせず、異常事態が発生したときのみダンパ装
置５０の動作状態を時分割制御とするものである。即ち、実施例１の構成において、圧縮
機２０で圧縮された冷媒が蒸発する単一の冷却器２４を備え、この冷却器２４によって冷
却された冷気が送風機２５によって冷蔵室３と冷凍室５に循環される冷気通路を備え、冷
凍室５の温度は圧縮機２０と送風機２５のＯＮ（運転）とＯＦＦ（停止）動作によって制
御され、冷蔵室３の温度は冷気通路を開閉するダンパ装置５０の開閉動作によって制御さ
れる冷凍冷蔵庫１において、ダンパ装置５０は、通常冷却運転モードでは、冷蔵室３の温
度が設定上限温度Ｒ２に上昇したとき冷蔵室３への冷気通路を開き冷蔵室３の温度が設定
下限温度Ｒ１に低下したとき冷気通路を閉じる開閉動作を行い、冷蔵室３の温度が上昇し
た異常温度状態では、ダンパ装置５０の動作状態を時分割制御による開閉作動状態とする
ことを特徴とする。
【００４９】
この状態は図８に示す。即ち、異常事態が発生したときのみダンパ装置５０の動作状態
を時分割制御とするため、異常事態が発生したことを判断する手段を設けている。異常事
態が発生したことを検知する手段の一つして、設定上限温度Ｒ２よりも高い所定の温度Ｒ
３を温度感知センサ５Ａが検出したことに基づき、制御回路部８０に設けた判断手段によ
って異常事態であると判断する。
【００５０】
通常の冷却運転状態では、上記のように、温度感知センサ５Ａの温度感知に基づく制御
回路部８０の動作によって、圧縮機２０と送風機２５がＯＮ・ＯＦＦ制御されて、冷凍室
５が設定下限温度Ｆ１と設定上限温度Ｆ２の間の制御が行われる。また、冷蔵室３は、冷
蔵室冷却モードにおいて、即ち、圧縮機２０と送風機２５がＯＮ（運転）状態であって設
定上限温度Ｒ２以上の場合に、ダンパ装置５０が開いて冷気が冷蔵室３へ供給され、設定
下限温度Ｒ１に低下したときダンパ装置５０が閉じる。そして、冷蔵室３が設定上限温度
Ｒ２以上に上昇したとき、再びダンパ装置５０が開いて冷気が冷蔵室３へ供給される。こ
のようにして、冷蔵室３は、設定下限温度Ｒ１と設定上限温度Ｒ２の範囲に制御されるこ
ととなる。
【００５１】
そして、上記のような異常事態が発生して、冷蔵室３の温度が設定上限温度Ｒ２を超え
て高い温度Ｒ３に達したときには、これを温度感知センサ５０Ａが感知し、これに基づき
制御回路部８０が動作して、ダンパ装置５０を上記同様に時分割制御状態とする。このた
め送風機２５から送出される冷気が間歇的に冷蔵室３へ供給され、設定下限温度Ｒ１に低
下したときダンパ装置５０が閉じる。そして、冷蔵室３が設定上限温度Ｒ２以上に上昇し
たとき、再びダンパ装置５０が時分割制御状態となって冷気が冷蔵室３へ供給されるため
、冷蔵室３は、設定下限温度Ｒ１と設定上限温度Ｒ２の範囲に制御されることとなる。
【００５２】
異常事態の温度は、温度感知センサ５０Ａとは別の温度感知センサ５０Ｂによって検出
する方法でもよい。異常事態を検出する他の手段のとして、設定下限温度Ｒ１から設定上
限温度Ｒ２へ上昇する温度勾配が所定値よりも大きい場合に、異常事態であると判断する
方法がある。これは、温度感知センサ５０Ａ又は５０Ｂが感知する温度に基づき、制御回
路部８０によって単位時間当たりの温度上昇値が所定値を超えた又は所定値以上の場合に
、異常事態が発生したと判断する方法がある。この方法によって異常事態が検出された場
合も、上記同様にダンパ装置５０が時分割制御状態となる。
【産業上の利用可能性】
【００５３】
上記のように、冷蔵室冷却モードにおいて、ダンパ装置を時分割制御による開閉作動状
態とすることにより、冷凍室の冷却効果を向上するものであり、冷凍冷蔵庫の形態は限定
されず、本発明の技術的範囲を逸脱しない限り種々の変更が考えられ、それに係る種々の
実施形態を包含するものである。
【図面の簡単な説明】
【００５４】
【図１】本発明冷蔵庫の縦断側面図である。（実施例１）
【図２】本発明の冷蔵庫本体を正面から見た説明図である。（実施例１）
【図３】本発明ダンパ装置の斜視図である。（実施例１）
【図４】本発明ダンパ装置を冷蔵庫に取り付けた部分の縦断側面図である。（実施例１）
【図５】本発明に係る制御部の構成図である。（実施例１）
【図６】本発明の基本的な制御動作におけるダンパ装置と電動圧縮機の動作及び冷蔵室と冷凍室の温度変化を示す説明図である。（実施例１）
【図７】本発明による時分割制御動作におけるダンパ装置と電動圧縮機の動作及び冷蔵室と冷凍室の温度変化を示す説明図である。（実施例１）
【図８】本発明による時分割制御動作におけるダンパ装置と電動圧縮機の動作及び冷蔵室と冷凍室の温度変化を示す説明図である。（実施例２）
【符号の説明】
【００５５】
１・・・冷蔵庫
２・・・冷蔵庫本体
３・・・冷蔵室
４・・・野菜室
５・・・冷凍室
５Ａ、５Ｂ・・・温度感知センサ
２０・・電動圧縮機
２４・・冷却器
２５・・送風機
３５・・冷気供給通路
３６・・断熱仕切り壁の冷気供給通路
５０・・ダンパ装置
５０Ａ・・温度感知センサ
５１・・電動機構
５２・・作動版
５３・・ダンパケース
５４・・開口部
５５・・直流電動機
８０・・制御回路部
【図１】
2006017371.tif 000003
【図２】
2006017371.tif 000004
【図３】
2006017371.tif 000005
【図４】
2006017371.tif 000006
【図５】
2006017371.tif 000007
【図６】
2006017371.tif 000008
【図７】
2006017371.tif 000009
【図８】
2006017371.tif 000010